(57)【要約】【課題】速写性を向上させ、あるいは的確に所望の画像を撮影することのできる撮像装置及び撮像制御プログラムを提供する。【解決手段】モニターにスルー画像を表示し（Ｓ２０１）、マルチ画面表示モードが設定されたか否かを判断する（Ｓ２０２）。設定された場合には、被写体の画像データに対して、各々異なる画像処理を行って、異なる画像処理が施されたスルー画像をモニターにマルチ画面表示させる（Ｓ２０３）。また、現在モニターに表示されているスルー画像のいずれかが選択されたか否かを判断する（Ｓ２０８）。いずれかが選択されたならば、選択された画像処理の被写体像をモニターに単独で全画面表示する（Ｓ２０９）。そして、シャッターボタンが操作されたならば、撮影処理（Ｓ２１３）、及び記録処理（Ｓ２１４）を実行する。【選択図】      図４
2008211843.tif 000002
【特許請求の範囲】
【請求項１】
被写体を撮像して画像データを出力する撮像手段と、この撮像手段から出力される画像データに基づき前記被写体のスルー画像を表示する表示手段とを備える撮像装置において、
前記画像データに複数の異なる画像処理を各々施し、この異なる画像処理が各々施された複数のスルー画像を前記表示手段にマルチ画面表示させる第１の表示制御手段と、
操作に応じて、前記表示手段にマルチ画面表示された画像処理の異なる複数のスルー画像のいずれかを選択する選択手段と、
この選択手段により選択された画像処理が施されたスルー画像を前記表示手段に単独表示させる第２の表示制御手段と
を備えることを特徴とする撮像装置。
【請求項２】
前記選択された画像処理が施されたスルー画像が前記表示手段に単独表示されている状態において、撮影指示に応答して当該画像処理を伴う撮影動作を実行し、この画像処理を施した被写体の画像データを記録媒体に記録させる記録制御手段を
更に備えることを特徴とする請求項１記載の撮像装置。
【請求項３】
前記選択された画像処理が施されたスルー画像が前記表示手段に単独表示されている状態において、画像処理変更指示に応答して前記表示手段に単独表示されているスルー画像の画像処理を変更する第３の表示制御手段を
更に備えることを特徴とする請求項１又は２記載の撮像装置。
【請求項４】
被写体を撮像して画像データを出力する撮像手段と、この撮像手段から出力される画像データに基づき前記被写体のスルー画像を表示する表示手段とを備える撮像装置において、
前記画像データに複数の異なる画像処理を各々施し、この異なる画像処理が各々施された複数のスルー画像を前記表示手段にマルチ画面表示させる第１の表示制御手段と、
操作に応じて、前記表示手段にマルチ画面表示されている複数のスルー画像各々の画像処理を同時に変更する第２の表示制御手段と
を備えることを特徴とする撮像装置。
【請求項５】
前記第１の表示制御手段は、前記画像データに複数の調整量が異なる画像処理を各々施し、この調整量が異なる画像処理が各々施された複数のスルー画像を前記表示手段にマルチ画面表示させ、
前記第２の表示制御手段は、操作に応じて、前記表示手段にマルチ画面表示されている複数のスルー画像各々の画像処理の調整量を同時に変更する
ことを特徴とする請求項４記載の撮像装置。
【請求項６】
前記第１の表示制御手段は、前記画像データに複数の調整量が異なる画像処理を各々施し、この調整量が異なる画像処理が各々施された複数のスルー画像を前記表示手段にマルチ画面表示させ、
前記第２の表示制御手段は、操作に応じて、前記表示手段にマルチ画面表示されている複数のスルー画像各々に対する画像処理の種類を同時に変更する
ことを特徴とする請求項４記載の撮像装置。
【請求項７】
被写体を撮像して画像データを出力する撮像手段と、この撮像手段から出力される画像データに基づき前記被写体のスルー画像を表示する表示手段とを備える撮像装置において、
前記画像データに複数の異なる画像処理を各々施し、この異なる画像処理が各々施された複数のスルー画像を前記表示手段にマルチ画面表示させる表示制御手段と、
この異なる画像処理が施された複数のスルー画像が前記表示手段にマルチ画面表示されている状態において、撮影指示に応答して撮影動作を実行し、前記異なる画像処理が施された各被写体の画像データを記録媒体に記録させる記録制御手段と
を備えることを特徴とする撮像装置。
【請求項８】
被写体を撮像して画像データを出力する撮像手段と、この撮像手段から出力される画像データに基づき前記被写体のスルー画像を表示する表示手段とを備える撮像装置において、
前記画像データに複数の調整量が異なる画像処理を各々施し、この調整量が異なる画像処理が各々施された複数のスルー画像を前記表示手段にマルチ画面表示させる表示制御手段
を備えることを特徴とする撮像装置。
【請求項９】
画像処理の種類を選択する選択手段を備え、
前記表示制御手段は、この選択手段により選択された種類の画像処理において複数の調整量が異なる画像処理を前記画像データに各々施し、この調整量が異なる画像処理が各々施された複数のスルー画像を前記表示手段にマルチ画面表示させる
ことを特徴とする請求項８記載の撮像装置。
【請求項１０】
被写体を撮像して画像データを出力する撮像手段と、この撮像手段から出力される画像データに基づき前記被写体のスルー画像を表示する表示手段とを備える撮像装置において、
前記画像データに複数の種類が異なる画像処理を各々施し、この種類が異なる画像処理が各々施された複数のスルー画像を前記表示手段にマルチ画面表示させる表示制御手段
を備えることを特徴とする撮像装置。
【請求項１１】
被写体を撮像して画像データを出力する撮像手段と、この撮像手段から出力される画像データに基づき前記被写体のスルー画像を表示する表示手段とを備える撮像装置が有するコンピュータを、
前記画像データに複数の異なる画像処理を各々施し、この異なる画像処理が各々施された複数のスルー画像を前記表示手段にマルチ画面表示させる第１の表示制御手段と、
操作に応じて、前記表示手段にマルチ画面表示された画像処理の異なる複数のスルー画像のいずれかを選択する選択手段と、
この選択手段により選択された画像処理が施されたスルー画像を前記表示手段に単独表示させる第２の表示制御手段と
して機能させることを特徴とする撮像制御プログラム。
【請求項１２】
被写体を撮像して画像データを出力する撮像手段と、この撮像手段から出力される画像データに基づき前記被写体のスルー画像を表示する表示手段とを備える撮像装置が有するコンピュータを、
前記画像データに複数の異なる画像処理を各々施し、この異なる画像処理が各々施された複数のスルー画像を前記表示手段にマルチ画面表示させる第１の表示制御手段と、
操作に応じて、前記表示手段にマルチ画面表示されている複数のスルー画像各々の画像処理を同時に変更する第２の表示制御手段と
して機能させることを特徴とする撮像制御プログラム。
【請求項１３】
被写体を撮像して画像データを出力する撮像手段と、この撮像手段から出力される画像データに基づき前記被写体のスルー画像を表示する表示手段とを備える撮像装置が有するコンピュータを、
前記画像データに複数の異なる画像処理を各々施し、この異なる画像処理が各々施された複数のスルー画像を前記表示手段にマルチ画面表示させる表示制御手段と、
この異なる画像処理が施された複数のスルー画像が前記表示手段にマルチ画面表示されている状態において、撮影指示に応答して撮影動作を実行し、前記異なる画像処理が施された各被写体の画像データを記録媒体に記録させる記録制御手段と
して機能させることを特徴とする撮像制御プログラム。
【請求項１４】
被写体を撮像して画像データを出力する撮像手段と、この撮像手段から出力される画像データに基づき前記被写体のスルー画像を表示する表示手段とを備える撮像装置が有するコンピュータを、
前記画像データに複数の調整量又は種類が異なる画像処理を各々施し、この調整量又は種類が異なる画像処理が各々施された複数のスルー画像を前記表示手段にマルチ画面表示させる表示制御手段と
して機能させることを特徴とする撮像制御プログラム。
【発明の詳細な説明】
【技術分野】
【０００１】
本発明は、被写体のスルー画像をマルチ画面表示する撮像装置及び撮像制御プログラムに関する。
【背景技術】
【０００２】
従来、被写体のスルー画像をマルチ画面表示する撮像装置が提案されている。このデジタルカメラ（電子スチルカメラ）は、ファインダ画面の中に現在その状態で撮影したときに写真となる構図のほか、ズーミング位置を変更した時の構図やカメラを縦に構えた時の構図を同時に表示する。したがって、表示された複数の画面を見て、いずれの構図が良いかを比較しながら判断できるので、撮影時において瞬時に構図を変更して撮影動作に入ることができ、速写性を高めることができるとするものである（例えば、特許文献１参照）。
【０００３】
【特許文献１】特平２００２−１５２５５８号公報
【発明の開示】
【発明が解決しようとする課題】
【０００４】
しかしながら、このような従来のデジタルカメラにあっては、単一のファインダ画面に画角等が異なる複数のスルー画像をマルチ画面表示することから、ファインダ画面に表示される各スルー画像は相対的に小さく表示されることとなる。このため、マルチ画面表示されている複数のスルー画像から所望のスルー画像を参考にして撮影を行っても、小さく表示されたスルー画像を参考にして想定した際の画像とは異なる所望外の画像が撮影されてしまう場合が生ずる。
【０００５】
しかも、いずれの構図が良いかを比較しながら所望の構図を決定し、しかる後に決定した構図となるように画角等を調整する撮影操作を開始しなければならないことから、速写性に関しても満足すべきものではない。
【０００６】
また、ファインダ画面に複数のスルー画像が一旦マルチ画面表示されると、その各スルー画像の画角等を変更することはできない。したがって、いずれの構図が良いかを比較しながら判断する際の判断材料が少なく、マルチ画面表示された少ない数のスルー画像を参考にしても、的確に所望の画像を撮影するための判断を行うことができない。
【０００７】
本発明は、かかる従来の課題に鑑みてなされたものであり、速写性を向上させ、あるいは的確に所望の画像を撮影することのできる撮像装置及び撮像制御プログラムを提供することを目的とする。
【課題を解決するための手段】
【０００８】
前記課題を解決するために請求項１の発明にかかる撮像装置にあっては、被写体を撮像して画像データを出力する撮像手段と、この撮像手段から出力される画像データに基づき前記被写体のスルー画像を表示する表示手段とを備える撮像装置において、前記画像データに複数の異なる画像処理を各々施し、この異なる画像処理が各々施された複数のスルー画像を前記表示手段にマルチ画面表示させる第１の表示制御手段と、操作に応じて、前記表示手段にマルチ画面表示された画像処理の異なる複数のスルー画像のいずれかを選択する選択手段と、この選択手段により選択された画像処理が施されたスルー画像を前記表示手段に単独表示させる第２の表示制御手段とを備える。
【０００９】
したがって、表示手段にマルチ画面表示された画像処理の異なる複数のスルー画像からいずれかを選択するための操作を行うと、この選択操作に応じた画像処理のスルー画像が表示手段に単独表示される。よって、マルチ画面表示により相対的に小さく表示されていた選択されたスルー画像を、単独表示により表示手段の全画面に大きく表示させることができ、これによりユーザはマルチ画面上で選択したスルー画像が所望の画像処理がなされたのであるか否かを容易に判断することができる。その結果、ユーザは、的確に所望の画像を撮影するための判断を行って、所望の画像処理が施された画像を撮影することができる。
【００１０】
しかも、表示手段にマルチ画面表示された画像処理の異なる複数のスルー画像からいずれかを選択するための操作を行うと、この選択操作に応じた画像処理からなるスルー画像が表示手段に単独表示されることから、そのまま撮影を行えば、当該画像処理が施された被写体像を撮影することができ、これにより、速写性を高めることができる。
【００１１】
また、請求項２の発明にかかる撮像装置にあっては、前記選択された画像処理が施されたスルー画像が前記表示手段に単独表示されている状態において、撮影指示に応答して当該画像処理を伴う撮影動作を実行し、この画像処理を施した被写体の画像データを記録媒体に記録させる記録制御手段を更に備える。
【００１２】
したがって、選択操作に応じた画像処理のスルー画像が表示手段に単独表示された状態で撮影指示を行えば、当該画像処理が施された被写体の画像データを記録媒体に記録されることから、速写性は一層高められる。
【００１３】
また、請求項３の発明にかかる撮像装置にあっては、前記選択された画像処理が施されたスルー画像が前記表示手段に単独表示されている状態において、画像処理変更指示に応答して前記表示手段に単独表示されているスルー画像の画像処理を変更する第３の表示制御手段を更に備える。
【００１４】
したがって、選択された画像処理が施されたスルー画像の画像処理を更に微調整することもできる。
【００１５】
また、請求項４の発明にかかる撮像装置にあっては、被写体を撮像して画像データを出力する撮像手段と、この撮像手段から出力される画像データに基づき前記被写体のスルー画像を表示する表示手段とを備える撮像装置において、前記画像データに複数の異なる画像処理を各々施し、この異なる画像処理が各々施された複数のスルー画像を前記表示手段にマルチ画面表示させる第１の表示制御手段と、操作に応じて、前記表示手段にマルチ画面表示されている複数のスルー画像各々の画像処理を同時に変更する第２の表示制御手段とを備える。
【００１６】
したがって、表示手段にマルチ画面表示されている複数のスルー画像各々の画像処理を簡単に変更して、従前とは各々異なる画像処理が施された複数のスルー画像をマルチ画面表示することができる。したがって、いずれの画像処理が良いかを比較しながら判断する際の判断材料が極めて多くなり、その結果、ユーザは、的確に所望の画像を撮影するための判断を行って、所望の画像処理が施された画像を撮影することができる。しかも、簡単に複数のスルー画像各々の画像処理を同時に変更することができることから、速写性を高めることもできる。
【００１７】
また、請求項５の発明にかかる撮像装置にあっては、前記第１の表示制御手段は、前記画像データに複数の調整量が異なる画像処理を各々施し、この調整量が異なる画像処理が各々施された複数のスルー画像を前記表示手段にマルチ画面表示させ、前記第２の表示制御手段は、操作に応じて、前記表示手段にマルチ画面表示されている複数のスルー画像各々の画像処理の調整量を同時に変更する。
【００１８】
したがって、いずれの調整量が良いかを比較しながら判断することができ、ユーザは、的確に所望の画像を撮影するための調整量判断を行って、所望の調整量からなる画像を撮影することができる。しかも、簡単に複数のスルー画像各々の調整量を同時に変更することができることから、速写性を高めることもできる。
【００１９】
また、請求項６の発明にかかる撮像装置にあっては、前記第１の表示制御手段は、前記画像データに複数の調整量が異なる画像処理を各々施し、この調整量が異なる画像処理が各々施された複数のスルー画像を前記表示手段にマルチ画面表示させ、前記第２の表示制御手段は、操作に応じて、前記表示手段にマルチ画面表示されている複数のスルー画像各々に対する画像処理の種類を同時に変更する。
【００２０】
したがって、いずれの調整量が良いかを比較しながら判断することができ、ユーザは、的確に所望の画像を撮影するための調整量判断を行って、所望の調整量からなる画像を撮影することができる。しかも、簡単に複数のスルー画像各々の画像処理の種類を同時に変更することができることから、速写性を高めることもできる。
【００２１】
また、請求項７の発明にかかる撮像装置にあっては、被写体を撮像して画像データを出力する撮像手段と、この撮像手段から出力される画像データに基づき前記被写体のスルー画像を表示する表示手段とを備える撮像装置において、前記画像データに複数の異なる画像処理を各々施し、この異なる画像処理が各々施された複数のスルー画像を前記表示手段にマルチ画面表示させる表示制御手段と、この異なる画像処理が施された複数のスルー画像が前記表示手段にマルチ画面表示されている状態において、撮影指示に応答して撮影動作を実行し、前記異なる画像処理が施された各被写体の画像データを記録媒体に記録させる記録制御手とを備える。
【００２２】
したがって、画像処理の異なる複数のスルー画像がマルチ画面表示されている状態における撮影指示により、各被写体の画像データ記録がなされることから、速写性が高められる。
【００２３】
また、請求項８の発明にかかる撮像装置にあっては、被写体を撮像して画像データを出力する撮像手段と、この撮像手段から出力される画像データに基づき前記被写体のスルー画像を表示する表示手段とを備える撮像装置において、前記画像データに複数の調整量が異なる画像処理を各々施し、この調整量が異なる画像処理が各々施された複数のスルー画像を前記表示手段にマルチ画面表示させる表示制御手段を備える。
【００２４】
したがって、表示手段に調整量が異なる画像処理が各々施された複数のスルー画像をマルチ画面表示させることができる。
【００２５】
また、請求項９の発明にかかる撮像装置にあっては、画像処理の種類を選択する選択手段を備え、前記表示制御手段は、この選択手段により選択された種類の画像処理において複数の調整量が異なる画像処理を前記画像データに各々施し、この調整量が異なる画像処理が各々施された複数のスルー画像を前記表示手段にマルチ画面表示させる。
【００２６】
したがって、ユーザにより選択された種類であって、調整量が異なる画像処理が各々施された複数のスルー画像を表示手段にマルチ画面表示させることができる。
【００２７】
また、請求項１０の発明にかかる撮像装置にあっては、被写体を撮像して画像データを出力する撮像手段と、この撮像手段から出力される画像データに基づき前記被写体のスルー画像を表示する表示手段とを備える撮像装置において、前記画像データに複数の種類が異なる画像処理を各々施し、この種類が異なる画像処理が各々施された複数のスルー画像を前記表示手段にマルチ画面表示させる表示制御手段を備える。
【００２８】
したがって、表示手段に種類が異なる画像処理が各々施された複数のスルー画像をマルチ画面表示させることができる。
【００２９】
また、請求項１１の発明にかかる撮像制御プログラムにあっては、被写体を撮像して画像データを出力する撮像手段と、この撮像手段から出力される画像データに基づき前記被写体のスルー画像を表示する表示手段とを備える撮像装置が有するコンピュータを、前記画像データに複数の異なる画像処理を各々施し、この異なる画像処理が各々施された複数のスルー画像を前記表示手段にマルチ画面表示させる第１の表示制御手段と、操作に応じて、前記表示手段にマルチ画面表示された画像処理の異なる複数のスルー画像のいずれかを選択する選択手段と、この選択手段により選択された画像処理が施されたスルー画像を前記表示手段に単独表示させる第２の表示制御手段として機能させる。
【００３０】
また、請求項１２の発明にかかる撮像制御プログラムにあっては、被写体を撮像して画像データを出力する撮像手段と、この撮像手段から出力される画像データに基づき前記被写体のスルー画像を表示する表示手段とを備える撮像装置が有するコンピュータを、前記画像データに複数の異なる画像処理を各々施し、この異なる画像処理が各々施された複数のスルー画像を前記表示手段にマルチ画面表示させる第１の表示制御手段と、操作に応じて、前記表示手段にマルチ画面表示されている複数のスルー画像各々の画像処理を同時に変更する第２の表示制御手段として機能させる。
【００３１】
また、請求項１３の発明にかかる撮像制御プログラムにあっては、被写体を撮像して画像データを出力する撮像手段と、この撮像手段から出力される画像データに基づき前記被写体のスルー画像を表示する表示手段とを備える撮像装置が有するコンピュータを、前記画像データに複数の異なる画像処理を各々施し、この異なる画像処理が各々施された複数のスルー画像を前記表示手段にマルチ画面表示させる表示制御手段と、この異なる画像処理が施された複数のスルー画像が前記表示手段にマルチ画面表示されている状態において、撮影指示に応答して撮影動作を実行し、前記異なる画像処理が施された各被写体の画像データを記録媒体に記録させる記録制御手段として機能させる。
【００３２】
また、請求項１４の発明にかかる撮像制御プログラムにあっては、被写体を撮像して画像データを出力する撮像手段と、この撮像手段から出力される画像データに基づき前記被写体のスルー画像を表示する表示手段とを備える撮像装置が有するコンピュータを、前記画像データに複数の調整量又は種類が異なる画像処理を各々施し、この調整量又は種類が異なる画像処理が各々施された複数のスルー画像を前記表示手段にマルチ画面表示させる表示制御手段して機能させる。
【発明の効果】
【００３３】
本発明によれば、表示手段にマルチ画面表示された画像処理の異なる複数のスルー画像から、いずれかを選択するための操作を行うことにより、この選択操作に応じたスルー画像を表示手段に単独表示させることができる。よって、マルチ画面表示により相対的に小さく表示されていた選択されたスルー画像を、単独表示により表示手段の全画面に大きく表示することでき、これによりユーザはマルチ画面上で選択したスルー画像が所望のものであるか否かを判断することが可能となる。その結果、ユーザは、的確に所望の画像を撮影するための判断を行って、所望の画像処理が施された画像を撮影することができる。しかも、表示手段にマルチ画面表示された複数のスルー画像からいずれかを選択するための操作を行うと、この選択操作に応じたスルー画像が表示手段に単独表示されることから、そのまま撮影を行えば、所望の画像処理が施された被写体像を撮影することができ、これにより、速写性を高めることができる。
【００３４】
また、本発明によれば、簡単に複数のスルー画像各々の画像処理を同時に変更することができることから、いずれの画像処理が良いかを比較しながら判断する際の判断材料が極めて多くなり、その結果、ユーザは、的確に所望の画像を撮影するための判断を行って、所望の画像処理が施された画像を撮影することができる。しかも、簡単に複数のスルー画像各々の画角を同時に変更することができることから、速写性を高めることもできる。
【００３５】
また、本発明によれば、画像処理の異なる複数のスルー画像がマルチ画面表示されている状態における撮影指示により、画像処理の異なる複数の各被写体の画像データ記録がなされることから、これによって速写性を高めることができる。
【発明を実施するための最良の形態】
【００３６】
以下、本発明の一実施の形態を図にしたがって説明する。
（第１の実施の形態）
図１は、本発明の各実施の形態に共通する電子スチルカメラ１の電気的概略構成を示すブロック構成図である。この電子スチルカメラ１は、ズームレンズ２等とともに撮像手段を構成するＣＣＤ３により得られた画像データをＪＰＥＧ形式に変換する等の画像処理機能を備えたＭＰＵ４を中心に構成されている。ＣＣＤ３の受光面には、前記ズームレンズ２、フォーカスレンズ５、絞り６を通過した被写体の光学像が結像される。
【００３７】
ズームレンズ２は、複数枚のレンズを有し焦点距離の可変（変倍）、及び光学特性の補正が可能なレンズ群であって、ズームモータ等からなる駆動機構７に保持されている。そして、ズームキーの操作等に応じてＭＰＵ４が制御信号をズームドライバー８に出力し、ズームドライバー８が駆動信号を駆動機構７に供給することにより、ズームレンズ２がズーム駆動される。フォーカスレンズ５はＡＦモータ等からなる駆動機構９に保持されており、ＭＰＵ４からの制御信号によりＡＦドライバー１０が出力する駆動信号が駆動機構９に供給されることにより、光軸上を前後に移動する合焦動作を行う。絞り６は、ＭＰＵ４からの制御信号に基づき絞り駆動部１１が発生する駆動信号により駆動し、ＣＣＤ３に入射する被写体像の光量を調整する。
【００３８】
また、ＭＰＵ４には、タイミング信号を発生するＴＧ（Timing Generator ）１２が接続されており、ＴＧ１２が発生したタイミング信号に基づきＶドライバー１３（垂直方向ドライバー）がＣＣＤ３を駆動し、それに伴いＣＣＤ３により被写体像の輝度に応じたアナログの撮像信号が出力されユニット回路１４へ送られる。ユニット回路１４は、ＣＣＤ３から出力された撮像信号を保持するＣＤＳと、ＣＤＳから撮像信号が供給されるアナログアンプであるゲイン調整アンプ（ＡＧＣ）と、ゲイン調整アンプで増幅され調整された撮像信号を画像データに変換するＡ／Ｄ変換器（ＡＤ）とからなり、ＣＣＤ３の出力信号は、ここで黒レベルを合わせてサンプリングされデジタル信号としてＭＰＵ４に送られる。送られたデジタル信号（撮像信号）はＤＲＡＭ１５に一時保存されるとともに、ＭＰＵ４によって、デジタルズーム処理、フィルター処理、ホワイトバランス処理等の各種の画像処理が施された後、最終的には圧縮された映像信号としてフラッシュメモリ（ＦＬＡＳＨ）１６に保存される。保存された映像信号は、必要に応じてＭＰＵ４に読み出され、伸長処理、輝度信号及び色信号の付加等の処理を経てデジタルビデオ信号やアナログビデオ信号に生成される。
【００３９】
さらに、ＭＰＵ４にはＭＲＯＭ１７と、電源回路１８、前記ズームキーやシャッターボタン、モード設定キー、後述するマルチ画面表示されたいずれかのスルー画像を選択するための選択キー等の各種キーやスイッチを含む操作キー部１９、表示手段としてのＴＦＴ液晶モニター２０が接続されている。ＭＲＯＭ１７は、後述するフローチャートに示すＭＰＵ４の動作プログラム等が記録されたプログラムＲＯＭである。また、ＭＲＯＭ１７には撮影時の適正な露出値（ＥＶ）に対応する絞り値（Ｆ）とシャッタースピードとの組み合わせを示すプログラム線図を構成するプログラムＡＥデータも格納されている。
【００４０】
ＭＰＵ４は、内蔵するＲＡＭをワーキングメモリとして前記動作プログラムに従い動作することにより本発明の表示制御手段、選択手段、記録制御手段等として機能する。また、前記プログラム線図に従って前記ＣＣＤ３の電荷蓄積時間や、前記絞り６の開放度、前記ユニット回路１４のゲイン調整アンプ（ＡＧＣ）のゲイン設定等を行う。ＭＰＵ４が設定した電荷蓄積時間はシャッターパルスとして、ＴＧ１２を介してＶドライバー１３に供給され、これに従いＶドライバー１３がＣＣＤ３を駆動することにより電荷蓄積時間すなわち露光時間が制御される。つまりＣＣＤ３は電子シャッターとして機能する。また、ＭＲＯＭ１７に格納された動作プログラムには、オートフォーカス制御に関するプログラムが含まれており、かかるプログラムに基づきＭＰＵ４は、前記フォーカスレンズ５を駆動させピント合わせ（オートフォーカス）を行う。
【００４１】
ＴＦＴ液晶モニター２０は、撮影モードにおいては逐次撮像された画像を後述するスルー画像として表示あるいはマルチ画面表示し、再生モードにおいては前記フラッシュメモリ１６に記録された画像データから生成されたアナログビデオ信号に基づく映像を表示する。
【００４２】
なお、前述したＭＲＯＭ１７に記憶されているプログラムデータ等は、その記録内容の保持が可能であれば、別途固定的に設けたもの、若しくは脱着自在に装着可能なＩＣカード等の他の記録媒体に記録される構成にしてもよく、さらに、前記プログラムデータ等をパソコン等の他の機器から供給可能な構成としてもよい。
【００４３】
次に、以上の構成からなる電子スチルカメラ１の第１の実施の形態における動作について説明する。電源スイッチが操作されて電源がオンとなっており、かつ、モード設定キーの操作により撮影モードが設定されている状態において、ＭＰＵ４は、ＭＲＯＭ１７に格納されているプログラムに従って図２のフローチャートに示す手順で処理を実行する。すなわち、ＣＣＤ３上に結像された被写体像をＴＦＴ液晶モニター２０にスルー画像として全画面表示する（ステップＳ１０１）。このとき、レンズ（ズームレンズ）２は、駆動機構７によって標準位置にセットされ、また、ＭＰＵ４のデジタルズーム機能はオフ状態に維持されている。したがって、ＴＦＴ液晶モニター２０には標準倍率（光学ズーム値１倍）の画角からなり、ズームレンズ２により結像されたデジタルズーム処理が施されていない被写体像がスルー画像として表示されることとなる。
【００４４】
次に、操作キー部１９に設けられているモード設定キーの操作によるマルチ画面表示モードが設定されているか否かを判断し（ステップＳ１０２）、設定されていない場合には後述するステップＳ１１０に進む。また、マルチ画面表示モードが設定されている場合には、ユニット回路１４からの被写体の画像データに対して、各々異なる画角となるようにデジタルズーム処理を行って、図３（ａ）に示すように、画角の異なる複数のスルー画像「１」「２」「３」「４」をＴＦＴ液晶モニター２０にマルチ画面表示させる（ステップＳ１０３）。
【００４５】
引き続き、画角変更操作があったか否か、つまり前記ズームキーが操作されたか否かを判断する（ステップＳ１０４）。ズームキーが操作されない場合には、さらにシャッターボタンが操作されたか否かを判断する（ステップＳ１０５）。そして、ズームキーが操作されずにシャッターボタンが操作された場合には（ステップＳ１０５；ＹＥＳ）、スルー画像「１」「２」「３」「４」に現在設定されている画角の撮影画像（撮影画像データ）を各々生成し、フラッシュメモリ１６に保存記録する（ステップＳ１０６）。
【００４６】
このステップＳ１０６で複数画角の撮影画像データを各々生成するに際しては、デジタルズームと光学ズームのいずれを用いてもよい。すなわち、デジタルズームを用いる場合には、１回の撮影処理を実行しユニット回路１４から１枚分の被写体画像データを得て、得た１枚分の被写体画像データからスルー画像「１」「２」「３」「４」に現在設定されている画角の画像データを生成し、これら各画像データをフラッシュメモリ１６に保存記録する。また、光学ズームを用いる場合は、制御信号をズームドライバー８に出力して、駆動機構７によりズームレンズ２を駆動し、そのズーム値をスルー画像「１」「２」「３」「４」に現在設定されている画角に対応する値に順次変更し、ズーム値を変更する毎にユニット回路１４から１枚分の被写体画像データを得て、これら各画像データをフラッシュメモリ１６に保存記録する。
【００４７】
他方、ステップＳ１０４での判断の結果、ズーム操作がなされた場合には、スルー画像「１」「２」「３」「４」の画角をズーム操作分だけスライド変更する（ステップＳ１０７）。つまり、ズームイン操作がなされた場合には、全てのスルー画像「１」「２」「３」「４」の画角をズームイン操作分だけ拡大スライド変更し、ズームアウト操作がなされた場合には、全てのスルー画像「１」「２」「３」「４」の画角をズームアウト操作分だけ縮小スライド変更する。したがって、マルチ画面表示の状態でズームキーを操作する簡単な操作により、ＴＦＴ液晶モニター２０にマルチ画面表示されている複数のスルー画像「１」「２」「３」「４」各々の画角を簡単に変更して、従前とは各々異なる画角からなる複数のスルー画像をマルチ画面表示することができる。
【００４８】
次に、前記選択キーの操作により、現在ＴＦＴ液晶モニター２０に表示されているスルー画像「１」「２」「３」「４」のいずれかが選択されたか否かを判断し（ステップＳ１０８）、選択されるまでステップＳ１０２からの処理を繰り返す。
【００４９】
そして、現在ＴＦＴ液晶モニター２０に表示されているスルー画像「１」「２」「３」「４」のいずれかが選択されたならば（ステップＳ１０８；ＹＥＳ）、選択されたスルー画像の画角となるまで制御信号をズームドライバー８に出力して、駆動機構７によりズームレンズ２を当該画角に設定するともに、ズームレンズ２によって結像された被写体像をＴＦＴ液晶モニター２０に単独で全画面表示する（ステップＳ１０９）。したがって、図３（ａ）においてスルー画像「２」が選択された場合には、このステップＳ１０９での処理により同図（ｂ）に示すように、スルー画像「２」の画角でスルー画像がＴＦＴ液晶モニター２０に単独で全画面表示されることとなる。
【００５０】
さらに、ズームキーが操作されたか否かを判断し（ステップＳ１１０）、操作された場合には、前述と同様にしてズームレンズ２をズーム操作分だけズーム動作させる（ステップＳ１１１）。したがって、本実施の形態においては、マルチ画面表示された異なる画角のスルー画像の中から所望のスルー画像を選択して単独で全画面表示させた後、当該スルー画像の画角をさらに微調整することもできる。
【００５１】
そして、ステップＳ１１０又はステップＳ１１１に続くステップＳ１１２では、シャッターボタンが操作されたか否かを判断し、シャッターボタンが操作されたならば、撮影処理（ステップＳ１１３）、及び記録処理（ステップＳ１１４）を実行する。すなわち、ＣＣＤ３から出力された撮像信号は、ユニット回路１４からデジタル信号としてＭＰＵ４に送られ、ＭＰＵ４によって必要な処理が施された後、最終的には圧縮された映像信号としてフラッシュメモリ１６に保存されることとなる。
【００５２】
なお、本実施の形態においては、ステップＳ１０９の処理を光学ズームで対応するようにし、ズームレンズ２を当該画角に設定するともに、ズームレンズ２によって結像された被写体像をＴＦＴ液晶モニター２０に単独で全画面表示するようにしたが、デジタルズームのみで対応するようにしてもよい。つまり、選択されたスルー画像をＴＦＴ液晶モニター２０の全画面に拡大表示するようにしてもよい。又は、デジタルズームと光学ズームとを併用して、選択されたスルー画像となる画角の画像をＴＦＴ液晶モニター２０に拡大表示するようにしてもよい。
【００５３】
（第２の実施の形態）
図４は、本発明の第２の実施の形態におけるＭＰＵ４の処理手順を示すものである。電源スイッチが操作されて電源がオンとなっており、かつ、モード設定キーの操作により撮影モードが設定されている状態において、ＭＰＵ４は、ＭＲＯＭ１７に格納されているプログラムに従って図４のフローチャートに示す手順で処理を実行する。すなわち、ＣＣＤ３上に結像された被写体像をＴＦＴ液晶モニター２０にスルー画像として全画面表示する（ステップＳ２０１）。このとき、画像処理としてホワイトバランスを用いて以下に説明すると、ＭＰＵ４の標準的なホワイトバランスを設定している。したがって、ＴＦＴ液晶モニター２０には、ズームレンズ２により結像され標準的なホワイトバランスからなる被写体像がスルー画像として表示されることとなる。
【００５４】
次に、操作キー部１９に設けられているモード設定キーの操作によるマルチ画面表示モードが設定されているか否かを判断し（ステップＳ２０２）、設定されていない場合には後述するステップＳ２１０に進む。また、マルチ画面表示モードが設定されている場合には、ユニット回路１４からの被写体の画像データに対して、各々異なるホワイトバランス処理を施して、図５（ａ）に示すように、画像処理（ホワイトバランス）の異なる複数のスルー画像「１」「２」「３」「４」（例えば、オートホワイトバランス調整されたスルー画像、太陽光、蛍光灯、木陰等に合うようにホワイトバランス調整されたスルー画像）をＴＦＴ液晶モニター２０にマルチ画面表示させる（ステップＳ２０３）。
【００５５】
引き続き、画像処理（ホワイトバランス）変更操作があったか否か、つまり操作キー部１９に設けられているホワイトバランス調整キーが操作されたか否かを判断する（ステップＳ２０４）。ホワイトバランス調整キーが操作されない場合には、さらにシャッターボタンが操作されたか否かを判断する（ステップＳ２０５）。そして、ホワイトバランス調整キーが操作されずにシャッターボタンが操作された場合には（ステップＳ２０５；ＹＥＳ）、スルー画像「１」「２」「３」「４」に現在設定されている画像処理（ホワイトバランス）の撮影画像（撮影画像データ）を各々生成し、フラッシュメモリ１６に保存記録する（ステップＳ２０６）。
【００５６】
このステップＳ２０６で異なるホワイトバランスの撮影画像データを各々生成するに際しては、１回の撮影処理を実行しユニット回路１４から１枚分の被写体画像データを得て、得た１枚分の被写体画像データからスルー画像「１」「２」「３」「４」に現在設定されているホワイトバランスの画像データを生成し、これら各画像データをフラッシュメモリ１６に保存記録する。勿論、第１の実施の形態と同様に、ホワイトバランス値を順次変更しながら複数回撮影処理を実行し、得られた複数の画像データをフラッシュメモリ１６に保存記録するようにしてもよい。
【００５７】
他方、ステップＳ２０４での判断の結果、画像処理変更操作がなされた場合には、スルー画像「１」「２」「３」「４」の画像処理（ホワイトバランス）を操作分だけスライド変更する（ステップＳ２０７）。したがって、マルチ画面表示の状態でホワイトバランス調整キーを操作する簡単な操作により、ＴＦＴ液晶モニター２０にマルチ画面表示されている複数のスルー画像「１」「２」「３」「４」各々のホワイトバランスを簡単に変更して、従前とは各々異なるホワイトバランスからなる複数のスルー画像をマルチ画面表示することができる。
【００５８】
次に、前記選択キーの操作により、現在ＴＦＴ液晶モニター２０に表示されているスルー画像「１」「２」「３」「４」のいずれかが選択されたか否かを判断し（ステップＳ２０８）、選択されるまでステップＳ２０２からの処理を繰り返す。
【００５９】
そして、現在ＴＦＴ液晶モニター２０に表示されているスルー画像「１」「２」「３」「４」のいずれかが選択されたならば（ステップＳ２０８；ＹＥＳ）、選択されたホワイトバランスからなるスルー画像をＴＦＴ液晶モニター２０に単独で全画面表示する（ステップＳ２０９）。したがって、図５（ａ）においてスルー画像「２」が選択された場合には、このステップＳ２０９での処理により同図（ｂ）に示すように、スルー画像「２」のホワイトバランスからなるスルー画像がＴＦＴ液晶モニター２０に単独で全画面表示されることとなる。
【００６０】
さらに、ホワイトバランス調整キーが操作されたか否かを判断し（ステップＳ２１０）、操作された場合には、操作分だけ画像処理を変更して、ＴＦＴ液晶モニター２０に単独で全画面表示されているスルー画像「２」のホワイトバランスを変更する（ステップＳ２１１）。したがって、本実施の形態においては、マルチ画面表示された異なるホワイトバランスのスルー画像の中から所望のスルー画像を選択して単独で全画面表示させた後、当該スルー画像のホワイトバランスをさらに微調整することもできる。
【００６１】
そして、ステップＳ２１０又はステップＳ２１１に続くステップＳ２１２では、シャッターボタンが操作されたか否かを判断し、シャッターボタンが操作されたならば、撮影処理（ステップＳ２１３）、及び記録処理（ステップＳ２１４）を実行する。すなわち、ＣＣＤ３から出力された撮像信号は、ユニット回路１４からデジタル信号としてＭＰＵ４に送られ、ＭＰＵ４によって、単独で全画面表示されているスルー画像「２」のホワイトバランスと同じホワイトバランス処理が施された後、最終的には圧縮された映像信号としてフラッシュメモリ１６に保存されることとなる。
【００６２】
なお、本実施の形態においては、画像処理としてホワイトバランスを用いて説明したが、これに限らずフィルター処理等の他の画像処理にも適用し得ることは勿論である。例えば、青、赤。白黒、セピア等のフィルタをかけたスルー画像をマルチ画面表示させたり、明るさ、色強調度合い、肌色補正度合い、輪郭強調度合い等の異なるスルー画像をマルチ画面表示させるといったことが考えられる。
【００６３】
また、本実施の形態においては、図４のステップＳ２０４での判断の結果、画像処理変更操作があった場合にマルチ画面表示されている複数のスルー画像のホワイトバランス値（調整量）をスライド変更するようにしたが、画像処理変更操作（あるいは所望の種類の画像処理を選択する操作）があった場合にホワイトバランス処理以外の他の種類の画像処理（例えばフィルタ処理）に切り換えて該他の種類の画像処理において画像調整量が異なる複数のスルー画像をマルチ画面表示させるようにしてもよい。更に、マルチ画面表示されている複数のスルー画像に対する画像処理（例えばホワイトバランス）の調整量をスライド変更するためのスライド変更操作と、マルチ画面表示されている複数のスルー画像に対する画像処理を他の種類の画像処理に切り換えるための画像処理変更操作とを共に有効としてもよい。
【００６４】
また、本実施の形態においては、ある１つの種類の画像処理において画像調整量が異なる複数のスルー画像をマルチ画面表示させるようにしたが、異なる種類の画像処理を施した複数のスルー画像をマルチ画面表示させるようにしてもよい。例えば、赤フィルタをかける度合い（色濃度）が異なる複数のスルー画像をマルチ画面表示させる以外に、赤フィルタをかけたスルー画像、青フィルタをかけたスルー画像等をマルチ画面表示させるといったことが考えられる。
【００６５】
また、上記第１及び第２の実施形態にあっては、複数のスルー画像をマルチ画面表示させている状態で撮影が指示された場合に、各スルー画像に対応する複数の撮影画像データを生成し記録するようにしたが、撮影後、生成した複数の撮影画像データをマルチ画面表示させ、この中からユーザにより選択された撮影画像データのみを記録するようにしてもよい。
【００６６】
また、上記第１及び第２の実施形態にあっては、いずれも本発明を電子スチルカメラに適用した場合について説明したが、本発明はこれに限るものではなく、他にもカメラ付き携帯電話端末、カメラ付きＰＤＡ（Ｐｅｒｓｏｎａｌ  Ｄｉｇｉｔａｌ  Ａｓｓｉｓｔａｎｔｓ：携帯情報端末）、カメラ付きパーソナルコンピュータ、等に適用することも容易に可能であり、要は撮像処理が可能な装置であればいずれにも適用できる。
【図面の簡単な説明】
【００６７】
【図１】本発明の各実施の形態に共通する電子スチルカメラの回路構成を示すブロック図である。
【図２】第１の実施の形態における処理手順を示すフローチャートである。
【図３】同実施の形態における表示遷移図である。
【図４】第２の実施の形態における処理手順を示すフローチャートである。
【図５】同実施の形態における表示遷移図である。
【符号の説明】
【００６８】
１  電子スチルカメラ
２  ズームレンズ
３  ＣＣＤ
４  ＭＰＵ
７  駆動機構
８  ズームドライバー
９  駆動機構
１２  ＴＧ
１３  Ｖドライバー
１４  ユニット回路
１５  ＤＲＡＭ
１６  フラッシュメモリ
１７  ＭＲＯＭ
１９  操作キー部
２０  ＴＦＴ液晶モニター
【図１】
2008211843.tif 000003
【図２】
2008211843.tif 000004
【図３】
2008211843.tif 000005
【図４】
2008211843.tif 000006
【図５】
2008211843.tif 000007